(57)【要約】【課題】黒い水滴が、駆動モータの取付け樹脂部の冷却用開口からの侵入を防ぎ、駆動モータの故障を防止することができる加湿装置を提供することを目的とする。【解決手段】吸気口２と吹出口４を有する本体ケース１と、本体ケース１内に備えた吸気口２と吹出口４とを連通する風路８と、風路８に設けた送風機６と、風路８における送風機６の上流側に設けた加湿部７とを備えている。送風機６は、ケーシング部１１と、ケーシング部１１に固定されたモータ部９と、モータ部９によって回転するファン部１０と、モータ部９に設け、モータ部９と電源線とを電気的に接続するモータコネクタ９Ａとを備えている。ケーシング部１１は、風路８とモータ部９とを連通する冷却用開口を有し、ケーシング部１１とモータ部９との間に第１のシール部を設け、第１のシール部２５は、風路８の空気が冷却用開口を介しモータコネクタ９Ａへ流入することを抑制する。【選択図】図４
2018017460.tif 000002
【特許請求の範囲】
【請求項１】
吸気口と吹出口を有する本体ケースと、
前記本体ケース内に備えた前記吸気口と前記吹出口とを連通する風路と、
前記風路に設けた送風機と、
前記風路における前記送風機の上流側に設けた加湿部とを備え、
前記送風機は、
ケーシング部と、
前記ケーシング部に固定されたモータ部と、
前記モータ部によって回転するファン部と、
前記モータ部に設け、前記モータ部と電源線とを電気的に接続するモータコネクタとを備え、
前記ケーシング部は、
前記風路と前記モータ部とを連通する冷却用開口を有し、
前記ケーシング部と前記モータ部との間に第１のシール部を設け、
前記第１のシール部は、
前記風路の空気が前記冷却用開口を介し前記モータコネクタへ流入することを抑制することを特徴とする加湿装置。
【請求項２】
前記本体ケースの背面と前記ケーシング部との間に第２のシール部を設け、
前記第２のシール部は、
前記本体ケース外の水が前記本体ケースの背面と前記ケーシング部との間を介し前記モータコネクタへ流入することを抑制することを特徴とする請求項１に記載の加湿装置。
【発明の詳細な説明】
【技術分野】
【０００１】
本発明は、水槽に一部を浸した加湿フィルターを回転するとともに、加湿フィルターに通風して加湿する気化式の加湿装置に関するものである。
【背景技術】
【０００２】
従来、この種の加湿装置の一例として、加湿フィルターを円筒形状とし回転させることで、加湿フィルターの全部位が溜水内に浸水することを特徴とする加湿装置が知られている。（例えば、特許文献１、２参照）。
【０００３】
この加湿装置は、吸込口と吹出口を連通して形成される送風流路に送風空気を流通させる送風部を設けた本体と、この本体に設けたタンクから給水されるトレイと、トレイの溜水に常に一部を浸した状態に設けられた円筒形状の加湿フィルターとで構成されている。
【０００４】
そして、加湿フィルターは、加湿フィルター保持具に固定された状態で送風流路に保持され、駆動モーターによって加湿フィルター保持具を回転させることによって、加湿フィルターが水平方向を軸として回転するように構成されている。このような構成により、加湿フィルターが駆動モーターによって回転し、加湿フィルターの全表面が溜水を通過することで水分を帯びた状態となる。そして、送風部によって流通される送風空気が加湿フィルターを通過する際に、加湿フィルターに付着した水分を気化することで送風空気が高湿状態となり、吹出口より室内に放出されるものである。
【０００５】
そして、加湿フィルター保持具は、加湿フィルターが円筒形状を保たせる複数の円盤と、円盤を保持し保持する円盤保持具によって構成されており、円盤保持具は加湿フィルターに内接しているという構成となっている。
【先行技術文献】
【特許文献】
【０００６】
【特許文献１】特開２００６−２００７６２号公報
【特許文献２】特開２０１０−２８１５１８号公報
【発明の概要】
【発明が解決しようとする課題】
【０００７】
このような従来の加湿装置においては、加湿フィルターの全部位に付着した水分を確実に気化させることにより、より高湿度の空気を室内に供給できるものである。このような装置を、喫煙所等に設置された場合に、本体の吹出口から黒い水滴のようなものが吹き出す場合がある。詳しいことは分かっていないが、タバコのヤニが本体内の風路内に付着し、この送風路を加湿された空気が通過すると、風路内に付着したヤニが黒い水滴に変化する。この黒い水滴が、加湿部の下流側に設けられた送風部によって、本体の吹出口から室内へ送風される場合があると考えられる。すなわち、本体ケースの吸込口から吹出口の風路が粉塵で汚れ、この粉塵が黒い水滴となり駆動モータの取付け樹脂部の冷却用開口から侵入、駆動モータのコネクタ部に付着し、付着した黒い水滴がコネクタから駆動モータ内部に毛細管現象で侵入、黒い水滴が通電部に到達後、ショートして駆動モータが故障してしまうという課題を有していた。
【０００８】
そこで、本発明は上記課題を解決するものであり、黒い水滴が、駆動モータの取付け樹脂部の冷却用開口からの侵入を防ぎ、モータコネクタに付着した黒い水滴による駆動モータの故障を防止することができる加湿装置を提供することを目的としている。
【課題を解決するための手段】
【０００９】
そして、この目的を達成するために、本発明は、吸気口と吹出口を有する本体ケースと、前記本体ケース内に備えた前記吸気口と前記吹出口とを連通する風路と、前記風路に設けた送風機と、前記風路における前記送風機の上流側に設けた加湿部とを備え、前記送風機は、ケーシング部と、前記ケーシング部に固定されたモータ部と、前記モータ部によって回転するファン部と、前記モータ部に設け、前記モータ部と電源線とを電気的に接続するモータコネクタとを備え、前記ケーシング部は、前記風路と前記モータ部とを連通する冷却用開口を有し、前記ケーシング部と前記モータ部との間に第１のシール部を設け、前記第１のシール部が、前記風路の空気が前記冷却用開口を介し前記モータコネクタへ黒い水滴の流入することを抑制することを特徴としたものであり、これにより所期の目的を達成するものである。
【発明の効果】
【００１０】
本発明によれば、吸気口と吹出口を有する本体ケースと、前記本体ケース内に備えた前記吸気口と前記吹出口とを連通する風路と、前記風路に設けた送風機と、前記風路における前記送風機の上流側に設けた加湿部とを備え、前記送風機は、ケーシング部と、前記ケーシング部に固定されたモータ部と、前記モータ部によって回転するファン部と、前記モータ部に設け、前記モータ部と電源線とを電気的に接続するモータコネクタとを備え、前記ケーシング部は、前記風路と前記モータ部とを連通する冷却用開口を有し、前記ケーシング部と前記モータ部との間に第１のシール部を設け、前記第１のシール部が、前記風路の空気が前記冷却用開口を介し前記モータコネクタへ流入することを抑制することで、ケーシング風路部に発生した黒い水滴が、モータコネクタ部に付着することを低減できる。
【図面の簡単な説明】
【００１１】
【図１】本発明の実施の形態１の加湿装置の斜視図
【図２】同加湿装置の断面図
【図３】同加湿装置の斜視図
【図４】同加湿装置の送風機の断面図
【図５】同加湿装置の送風機のケーシング部の斜視図
【発明を実施するための形態】
【００１２】
以下、本発明の実施形態について図面を参照しながら説明する。
（実施の形態１）
図１は、本発明の実施の形態１の加湿装置の斜視図であり、加湿装置を前面側から見た図である。
【００１３】
図１に示すように、本実施形態の加湿装置においては、略箱形状の本体ケース１を備え、本体ケース１の両側面には略四角形状の吸気口２を有している。本体ケース１の前面には開閉可能な扉３を備え、扉３を開くと後述する本体ケース１内の加湿部７を取り出すことが出来る。
【００１４】
図２は、本発明の実施の形態１の加湿装置の断面図であり、加湿装置を右側から見た図である。図３は、本発明の実施の形態１の加湿装置の斜視図であり、加湿装置の扉３を開き、加湿部７を引き出し前面側から見た図である。
【００１５】
図２、図３に示すように、本体ケース１内には、送風機６と、加湿部７、風路８とを備えている。
【００１６】
送風機６は、本体ケース１の背面１Ａ側中央部に設けられ、モータ部９と、モータ部９により回転するファン部１０と、それらを囲むケーシング部１１とを備えている。
【００１７】
ファン部１０は、シロッコファンで、モータ部９から水平方向に延びたモータ軸２２に固定され、モータ部９は、ケーシング部１１に固定されている。モータ部９は、モータコネクタ９Ａを備え、このモータコネクタ９Ａは、モータ部と電源線（図示せず）とを電気的に接続する。ケーシング部１１は、ケーシング部１１の本体ケース１における上面側に吐出口１２を備え、ケーシング部１１の本体ケース１における前面側に吸込口１３を有している。
【００１８】
加湿部７は、水を貯水するトレイ部分１４と、トレイ部分１４に水を供給するタンク部分１５と、トレイ部分１４内の水に一部が浸漬したフィルター部分１６とを備えている。トレイ部分１４とフィルター部分１６は、送風機６より下方に配置されている。
【００１９】
トレイ部分１４は、天面を開口した箱形状をしており、水を貯水できる構造となっており、本体ケース１の下部に配置され、本体ケース１から水平方向にスライドして着脱可能となっている。
【００２０】
タンク部分１５は、本体ケース１内部の前面側に設置され、トレイ部分１４から着脱可能な構造となっている。タンク部分１５は、水を貯水する中空形状であるタンク１７と、タンク１７と一体となった取手１８とを備えている。
【００２１】
タンク１７は、下部にタンク開口（図示せず）を備え、このタンク開口（図示せず）をキャップ１９により密閉できる構造となっているが、トレイ部分１４にタンク１７を設置すると、キャップ１９に設けられた水栓（図示せず）が解放され、水がトレイ部分１４に供給される構造となっている。水面が水栓まで上昇してくると、水面によりタンク１７が密閉され、水の供給が停止し、常に一定量の水を供給することができる。
【００２２】
フィルター部分１６は、トレイ部分１４に貯水された水と、送風機６によって本体ケース１内に吸込まれた室内空気とを接触させる部材である。円筒状に構成され、円周部分に空気が流通可能な孔を備えたフィルター２０を配置し、その一端がトレイ部分１４の水に浸漬するように、フィルター２０の中心軸を回転中心としてトレイ部分１４に回転自在に内蔵されている。そして、駆動部（図示しない）による回転され、水と室内空気を連続的に接触させる構造となっている。
【００２３】
風路８は、吸気口２と吹出口４とを連通し、この風路８には、吸気口２から順に、加湿部７（トレイ部分１４、フィルター部分１６）、送風機６、吹出口４とを備えている。モータ部９によってファン部１０が回転すると、吸気口２から風路８内に入った外部の空気は、順に、加湿部７であるフィルター２０、送風機６、吹出口４を介して、開口部５から吹き出される。
【００２４】
図４は、本発明の実施の形態１の加湿装置の送風機の断面図である。図５は、本発明の実施の形態１の加湿装置の送風機のケーシング部の斜視図である。送風機からファン部を外した図である。
【００２５】
図４、図５に示すように、ファン部１０は、シロッコファンで、モータ部９から本体ケース１における前面側へ水平方向に延びたモータ軸２２に固定されている。このファン部１０が回転すると、本体ケース１における前面側の吸込口１３からケーシング部１１内へ吸い込まれ、遠心方向であるファン部１０の上方向の吐出口１２へ送風される。
【００２６】
ケーシング部１１の中央部には、ファン部１０側へ水平方向に突出した椀形状のモータカバー２１を備えている。モータカバー２１は、モータ部９を覆うように設けられ、ファン部１０とモータ部９との間に配置されている。なお、モータカバー２１は、ケーシング部１１の一部であり、ケーシング部１１とモータカバー２１とは、一体に形成している。
【００２７】
モータカバー２１の先端には、モータ軸２２が貫通する孔２３を備えている。モータカバー２１の先端の孔２３の周りには、モータ部９とファン部１０とを連通する冷却用開口２４を備えている。冷却用開口２４は、孔２３を中心として同心円状に設けられた複数の開口である。
【００２８】
冷却用開口２４によって、モータ部９で発生した熱が、モータカバー２１内からファン部１０へ、つまり風路へ流れるので、モータ部９の温度上昇が抑制される。なお、モータ部９とモータカバー２１との間に隙間を有した状態で、モータ部９はモータカバー２１の内部に固定されている。
【００２９】
風路８を流れる空気の一部は、冷却用開口２４を介してモータカバー２１内のモータ部９へ流れ込む。加湿部７から湿気を含んだたばこ煙も、黒い水滴となって、モータカバー２１に設けられた冷却用開口２４からモータ部９に侵入する。この場合に、黒い水滴がモータコネクタ９Ａへ流れ込まないように、モータ部９とモータコネクタ９Ａとの間に、モータ部９とモータカバー２１との間の隙間を埋めるようにケーシング部１１とモータ部９との間に、第１のシール部２５を備えている。第１のシール部２５は、モータ部９の外周に設けられている。第１のシール部２５の一例は、連続発泡構造のパッキンである。
【００３０】
これにより、侵入した黒い水滴は、モータ部９の外周に設けられた環状のパッキンがモータカバー２１との間に気密を形成するため、モータコネクタ９Ａに付着することを低減することができる。風路の空気中の黒い水滴が冷却用開口を介しモータコネクタ９Ａへ流入することを抑制し、モータコネクタ９Ａの耐久性が向上する。
【００３１】
本体ケース１の背面１Ａとケーシング部１１との間に第２のシール部２６を設けている。第２のシール部２６は、本体ケース１外の水が本体ケース１の背面１Ａとケーシング部１１との間を介しモータコネクタ９Ａへ流入することを抑制する。第２のシール部２６は、本体ケース１とケーシング部１１間において、モータ部９を取り囲むように設けられたパッキンである。このパッキンは、本体ケース１の背面１Ａ側から見ると環形状で、水密性を備えたものである。
【００３２】
本体ケース１が転倒し、本体ケース１の背面１Ａ側が下方になり、トレイ部分１４の水が本体ケース１とケーシング部１１間に流れ込んだとき、第２のシール部である水密性を備えたパッキンによって、水密を形成することにより、水の浸入を防ぐことができる。
【００３３】
これにより、本体ケース１外の水が本体ケース１の背面１Ａとケーシング部１１との間を介し、モータ部９のモータコネクタ９Ａへの水の付着をふせぐことで、モータ故障を防ぐことが可能となる。
【産業上の利用可能性】
【００３４】
本発明は、加湿フィルターに通風して加湿する気化式の加湿装置として適している。
【符号の説明】
【００３５】
１    本体ケース
１Ａ    背面
２    吸気口
３    扉
４    吹出口
５    開口部
６    送風機
７    加湿部
８    風路
９    モータ部
９Ａ    モータコネクタ
１０    ファン部
１１    ケーシング部
１２    吐出口
１３    吸込口
１４    トレイ部分
１５    タンク部分
１６    フィルター部分
１７    タンク
１８    取手
１９    キャップ
２０    フィルター
２１    モータカバー
２２    モータ軸
２３    孔
２４    冷却用開口
２５    第１のシール部
２６    第２のシール部
【図１】
2018017460.tif 000003
【図２】
2018017460.tif 000004
【図３】
2018017460.tif 000005
【図４】
2018017460.tif 000006
【図５】
2018017460.tif 000007